(57)【要約】【課題】障子の面内方向の力に対する受け金具の固定強度を大きくした障子及び開口部装置を提供する。【解決手段】上下の横框と左右の縦框とを方形状に框組みしてなる框体４を有し、一方の縦框２３にはクレセント１３を係止自在な受け金具１４を有し、受け金具１４は、クレセント１３を係止させる係止部１６ａと、係止部１６ａから框体４の外周側に伸び縦框２３の室内側壁２３ａに対して当接される延出面部１５ａと、延出面部１５ａから室外側に伸び縦框２３の内周壁２３ｂに対して当接固定される固定面部１５ｂとを有し、障子の縦框２３は室内側壁２３ａから室外側に突出する係合部２３ｃを有し、受け金具１４の延出面部１５ａは係合部２３ｃに対し障子の外周側から当接する当接部１５ｄを有する。【選択図】図４
2014074292.tif 000002
【特許請求の範囲】
【請求項１】
横框と縦框とを方形状に框組みしてなる框体を有し、縦框の一方にはクレセントを係止自在な受け金具を有した障子において、
前記受け金具は、前記框体に取付けるための固定部と、前記框体に形成される係合部に当接する当接部とを備えたことを特徴とする障子。
【請求項２】
前記受け金具は、前記クレセントを係止する係止部と、該係止部から見付方向に伸びる延出面部とを有し、
前記当接部は前記延出面部に設けられることを特徴とする請求項１記載の障子。
【請求項３】
前記係合部は前記縦框の長手方向に沿って形成されると共に、前記受け金具の延出面部の位置で切り欠かれ、前記延出面部の当接部は、前記延出面部から前記縦框の長手方向に向かって突出状に形成されて前記係合部に対し隣接することを特徴とする請求項２記載の障子。
【請求項４】
前記障子の縦框は室内側壁の前記係合部と見付方向に離隔して配置され突出する第２係合部を有し、前記受け金具の延出面部は前記第２係合部に対し前記障子の外周側から隣接する第２当接部を有することを特徴とする請求項２または３記載の障子。
【請求項５】
前記縦框には、前記受け金具の見込方向への移動を規制する規制部が形成されることを特徴とする請求項１〜４のいずれか１項に記載の障子。
【請求項６】
前記規制部は前記縦框の内周壁に形成されると共に、前記横框の室外側面を当接させて回転防止させることを特徴とする請求項５記載の障子。
【請求項７】
前記受け金具は、前記延出面部から室外側に伸び前記縦框の内周壁に対して当接固定される固定面部を有することを特徴とする請求項１〜６のいずれか１項に記載の障子。
【請求項８】
建物開口部に設けられる枠体内に内障子と外障子を納めた開口部装置において、
前記外障子を請求項１〜７のいずれか１項に記載の障子としたことを特徴とする開口部装置。
【発明の詳細な説明】
【技術分野】
【０００１】
本発明は、建物開口部に設けられる枠体内に納められる障子及びそれを納めた開口部装置に関し、特に内外障子をロックするクレセントの受け金具の火災発生時における強度を強化した障子及び開口部装置に関する。
【背景技術】
【０００２】
建物開口部に設けられる枠体内に内外障子を納めた開口部装置としては、内外障子を引き違い状に走行自在とした引き違い開口部装置や、一方の障子を走行自在とした片引き開口部装置がある。いずれも、内外障子をロックするためにクレセントが一般的に用いられる。クレセントは内障子に設けられ、外障子にはクレセントを係止させる受け金具が設けられる。
【０００３】
受け金具は、平面状に形成されて外障子の縦框室内側壁に当接し、室内側からネジ止め固定される。このような受け金具を有した障子及び開口部装置としては、例えば特許文献１に挙げるようなものがある。
【先行技術文献】
【特許文献】
【０００４】
【特許文献１】特開２０１０−２２２９４２号公報
【発明の概要】
【発明が解決しようとする課題】
【０００５】
受け金具は、障子を構成する縦框にネジ等の固定部材によって固定されている。このため、例えば火災発生時には、縦框を構成するアルミ材料の強度が低下するため、縦框が受け金具を固定する固定部材を十分に保持できなくなって、受け金具と縦框の固定が弱くなってしまう。これにより、受け金具を縦框に対して面内方向（見付方向）に規制できなくなり、移動してしまう可能性があった。そのため、内外障子の拘束状態が解かれ、内外障子間に隙間を生じさせてしまうという問題があった。
【０００６】
本発明は前記課題を鑑みてなされたものであり、障子の面内方向（見付方向）の力に対して受け金具の移動を規制することのできる障子及び開口部装置を提供することを目的とする。
【課題を解決するための手段】
【０００７】
前記課題を解決するため、請求項１の発明に係る障子は、横框と縦框とを方形状に框組みしてなる框体を有し、縦框の一方にはクレセントを係止自在な受け金具を有した障子において、
前記受け金具は、前記框体に取付けるための固定部と、前記框体に形成される係合部に当接する当接部とを備えたことを特徴として構成されている。
【０００８】
請求項１に係る発明によれば、受け金具の框体に対する固定強度が低下した場合に、框体の係合部に受け金具の当接部が当接することによって、受け金具の移動を規制することができる。
【０００９】
また、請求項２の発明に係る障子は、前記受け金具は、前記クレセントを係止する係止部と、該係止部から見付方向に伸びる延出面部とを有し、
前記当接部は前記延出面部に設けられることを特徴として構成されている。
【００１０】
請求項２に係る発明によれば、受け金具が障子の見付方向に力を受けた場合には、当接部が係合部に当接して、受け金具の移動が規制される。
【００１１】
また、請求項３の発明に係る障子は、前記係合部は前記縦框の長手方向に沿って形成されると共に、前記受け金具の延出面部の位置で切り欠かれ、前記延出面部の当接部は、前記延出面部から前記縦框の長手方向に向かって突出状に形成されて前記係合部に対し隣接することを特徴として構成されている。
【００１２】
請求項３に係る発明によれば、受け金具を係合部と干渉することなく取付け、かつ当接部を係合部に対し確実に当接させることができる。
【００１３】
さらに、請求項４の発明に係る障子は、前記障子の縦框は室内側壁の前記係合部と見付方向に離隔して配置され突出する第２係合部を有し、前記受け金具の延出面部は前記第２係合部に対し前記障子の外周側から隣接する第２当接部を有することを特徴として構成されている。
【００１４】
請求項４に係る発明によれば、第２当接部が第２係合部に当接することで、受け金具の見付方向への力に対する規制をより確実にすることができる。
【００１５】
さらにまた、請求項５の発明に係る障子は、前記縦框には、前記受け金具の見込方向への移動を規制する規制部が形成されることを特徴として構成されている。
【００１６】
請求項５に係る発明によれば、受け金具が障子の室内側に引っ張られるように力を受けた場合に、見込方向への力を規制部で受けることができる。
【００１７】
そして、請求項６の発明に係る障子は、前記規制部は前記縦框の内周壁に形成されると共に、前記横框の室外側面を当接させて回転防止させることを特徴として構成されている。
【００１８】
請求項６に係る発明によれば、回転防止部と規制部を兼用することにより、召合わせ框の形状を複雑化させないようにすることができる。
【００１９】
そして、請求項７の発明に係る障子は、前記受け金具は、前記延出面部から室外側に伸び前記縦框の内周壁に対して当接固定される固定面部を有することを特徴として構成されている。
【００２０】
請求項７に係る発明によれば、受け金具の見付方向の力に対する固定強度を大きくすることができる。
【００２１】
また、請求項８の発明に係る開口部装置は、建物開口部に設けられる枠体内に内障子と外障子を納めた開口部装置において、
前記外障子を前記いずれかの障子としたことを特徴として構成されている。
【００２２】
請求項８に係る発明によれば、枠体内に内外障子を納めた開口部装置において前記障子と同様の作用を得ることができる。
【発明の効果】
【００２３】
本発明に係る障子及び開口部装置によれば、火災発生時などに受け金具の縦框に対する固定強度が小さくなっても、受け金具の見付方向における移動を規制することができ、内外障子の移動を規制して開くことがないようにすることができる。
【図面の簡単な説明】
【００２４】
【図１】本実施形態における開口部装置の縦断面図である。
【図２】開口部装置の横断面図である。
【図３】受け金具の正面図と平面図である。
【図４】受け金具を取付けた外障子の召合わせ框の断面図である。
【図５】受け金具を取付けた召合わせ框の正面図である。
【図６】通常時における内外障子の正面図と火災発生時における内外障子の正面図である。
【図７】別の形態の規制部を備えた召合わせ框の断面図である。
【図８】別の形態の受け金具を備えた召合わせ框の断面図である。
【発明を実施するための形態】
【００２５】
本発明の実施形態について図面に沿って詳細に説明する。図１には本実施形態における開口部装置の縦断面図を、図２には開口部装置の横断面図を、それぞれ示している。これら各図に示すように、本実施形態の開口部装置は、上枠１０と下枠１１及び左右の縦枠１２，１２を方形状に枠組みしてなる枠体１内に内障子２と外障子３を引き違い状に納めた引き違い開口部装置である。内障子２と外障子３は、上框２０と下框２１、枠側縦框２２及び召合わせ框２３を方形状に框組みしてなる框体４内にガラス板からなるパネル体５を納めてなる。
【００２６】
枠体１を構成する上枠１０の内周面には、内障子２と外障子３をそれぞれ案内する室内外２条の上レール部１０ａが長手方向に沿って形成されている。また、下枠１１の内周面には、内障子２と外障子３をそれぞれ案内する室内外２条のレール部１１ａが長手方向に沿って形成されている。
【００２７】
内障子２が配置される側の縦枠１２の内周面には、内障子２の外周面と対向する位置にフィン部１２ａが形成され、外障子３が配置される側の縦枠１２の内周面には、外障子３の外周面と対向する位置にフィン部１２ａが形成される。
【００２８】
框体４を構成する上框２０の上側には、上枠１０の上レール部１０ａに案内される凹状の案内溝２０ａが形成されている。下框２１の下側には、下枠１１のレール部１１ａに載置されて障子を走行自在とする戸車２４が設けられている。
【００２９】
枠側縦框２２は、室内側面の外周端部が外周側に延出された室内延出部２２ａと、室外側面の外周端部が外周側に延出された室外延出部２２ｂとを有し、室内延出部２２ａ及び室外延出部２２ｂで囲まれた領域により縦枠１２のフィン部１２ａを飲み込んでいる。
【００３０】
内障子２の召合わせ框２３は、外周側面にクレセント１３を備え、外障子３の召合わせ框２３は、室内側面にクレセント１３を係脱自在な受け金具１４を備えている。クレセント１３は、召合わせ框２３に固定される箱状の本体部１３ａに対し操作部１３ｂが回動自在に設けられており、操作部１３ｂの先端部には受け金具１４に対して係止される爪部１３ｃが設けられている。内障子２と外障子３を閉じた状態でクレセント１３を受け金具１４に係止させることにより、内障子２と外障子３とが互いに移動しないように規制することができる。
【００３１】
受け金具１４の構成についてより詳細に説明する。図３には、受け金具１４の正面図（図３（ａ））と平面図（図３（ｂ））を示している。受け金具１４は、金属製の基部材１５と、基部材１５に対してネジ止め固定される金属製の先端部材１６とからなっている。先端部材１６は、基部材１５に固定される側と反対側の端部に、クレセント１３の爪部１３ｃを係止させる係止部１６ａを有している。
【００３２】
係止部１６ａの爪部１３ｃが係止される部分には、樹脂被覆部１６ｂが設けられており、金属同士が摺接することを防止している。この樹脂被覆部１６ｂは、係止部１６ａにおいて爪部１３ｃが摺接する面を樹脂の肉厚分の厚みで被覆しており、火災発生時に樹脂被覆部１６ｂが脱落したとしても、爪部１３ｃと係止部１６ａの係止位置が大きく変わらないようにして、内障子２と外障子３が開く方向に移動しないようにしている。
【００３３】
図３（ｂ）に示すように、基部材１５は、係止部１６ａが形成された先端部材１６よりも框体４の外周側に伸びる延出面部１５ａと、延出面部１５ａの端部から室外側に向かって伸び召合わせ框２３に対する固定部となる固定面部１５ｂとを有した略Ｌ字状に形成されている。図３（ａ）に示すように、延出面部１５ａの上下には、それぞれ突出片１５ｃ，１５ｃが形成されている。突出片１５ｃは、略方形状であって係止部１６ａ側に向かう面が平面状の当接部１５ｄとなっている。また、延出面部１５ａの突出片１５ｃよりも固定面部１５ｂよりにも、上下に突出する第２突出片１５ｅ，１５ｅが形成されていて、第２突出片１５ｅの係止部１６ａ側に向かう面は平面状の第２当接部１５ｆとなっている。
【００３４】
図４には、受け金具１４を取付けた外障子３の召合わせ框２３の断面図を示している。受け金具１４を構成する基部材１５の延出面部１５ａは、召合わせ框２３を構成する室内側壁２３ａのうち室外に面する側に対して当接する。また、基部材１５の固定面部１５ｂは、召合わせ框２３を構成する内周壁２３ｂに対して当接し、ビス１７によって固定される。
【００３５】
召合わせ框２３の室内側壁２３ａには、内周側端部に室外側に向かって突出する係合部２３ｃが、この係合部２３ｃより外周側の位置に室外側に向かって突出する第２係合部２３ｄが、それぞれ形成されている。係合部２３ｃと第２係合部２３ｄは、いずれも召合わせ框２３の長手方向に沿って形成されている。係合部２３ｃは、パネル体５の周りに設けられるシーリング材を被着させる面を兼ねていてもよく、また、第２係合部２３ｄは、パネル体５の周縁表面部に設けられるバックアップ材の位置決めやグレーチングチャンネルを引っ掛ける面を兼ねていてもよい。なお、本実施形態では係合部２３ｃを略Ｌ字状としているが、室外側に突出するリブとして形成してもよい。
【００３６】
図５には、受け金具１４を取付けた召合わせ框２３の正面図を示している。この図では、受け金具１４は全て実線にて表している。召合わせ框２３の係合部２３ｃと第２係合部２３ｄは、それぞれ受け金具１４の延出面部１５ａが召合わせ框２３の室内側壁２３ａに当接する部分が切り欠かれている。そして、受け金具１４の突出片１５ｃに形成された平面状の当接部１５ｄは、召合わせ框２３の係合部２３ｃに対して外周側から隣接している。また、受け金具１４の第２突出片１５ｅに形成された第２当接部１５ｆは、召合わせ框２３の第２係合部２３ｄに対して外周側から隣接している。
【００３７】
図６には、通常時における内外障子の正面図（図６（ａ））と火災発生時における内外障子の正面図（図６（ｂ））を示している。図６（ａ）に示すように、通常時において内障子２と外障子３は、召合わせ框２３が内外に隣接した状態となっていて、室内側には内障子２の召合わせ框２３が露出している。
【００３８】
火災が発生して開口部装置が高温に晒されると、框体４を構成する各框部材は熱伸びを生じる。実際には、框体４を構成する召合わせ框２３以外の框材も熱伸びを生じて変形するが、図６（ｂ）は、召合わせ框２３の熱伸びによる変形のみを表している。火災発生時には、上框２０や下框２１が長手方向に伸びる一方、クレセント１３の係止部分は内障子２と外障子３との間で拘束された状態となるから、図６（ｂ）に示すように、内障子２の召合わせ框２３と外障子３の召合わせ框２３は、中央部で互いに重なり合い、両端部で互いに離れるように反りが生じる。これにより、クレセント１３と受け金具１４には、框体４の面内方向において互いに引っ張り合う方向に力が生じる。すなわち、受け金具１４には、図４において横方向の矢印で示すように、框体４の内周側に向かう力がかかることとなる。
【００３９】
火災発生時には、召合わせ框２３を構成するアルミ材料の強度が低下し、ビス１７による受け金具１４の固定強度が低下する。これに対し、受け金具１４に框体４の内周側に向かう面内方向の力がかかった場合、当接部１５ｄが係合部２３ｃに対して外周側から隣接し当接していることにより、受け金具１４が召合わせ框２３から外れることを防止することができ、受け金具１４の見付方向への移動を抑制することができる。また、第２当接部１５ｆが第２係合部２３ｄに対して外周側から隣接し当接していることで、受け金具１４の見付方向への移動をより確実に抑制することができる。
【００４０】
また、火災発生時には、召合わせ框２３は框体４の面内方向のみならず、それと直交する室内外方向にも屈曲する。室外側で火災が発生している場合には、召合わせ框２３の室外側面が室内側面よりも高温になるから、召合わせ框２３は室外側に向かって凸状となるように変形する。外障子３の召合わせ框２３は、内障子２の召合わせ框２３よりも高温になるから、外障子３の召合わせ框２３が内障子２の召合わせ框２３よりも大きく変形し、このため、外障子３の召合わせ框２３と内障子２の召合わせ框２３は相対的に離れる方向に移動することとなる。これに伴い、受け金具１４には室内側に引っ張られる方向、すなわち図４において縦方向の矢印で示すように力がかかることとなる。なお、室内側で火災が発生した場合には、召合わせ框２３の変形方向は反対になるが、内障子２の召合わせ框２３が外障子３の召合わせ框２３よりも大きく変形するため、いずれにしても受け金具１４はクレセント１３から引っ張られる方向に力を受けて、図４と同じ方向に力を受けることとなる。
【００４１】
これにより、受け金具１４の固定面部１５ｂには、召合わせ框２３の内周壁２３ｂから浮き上がる方向にモーメントがかかることになる。これに対し、召合わせ框２３の内周壁２３ｂには、固定面部１５ｂの室外端部の室外側に隣接して規制部２３ｅが突出状に形成されている。この規制部２３ｅにより、固定面部１５ｂの室外端部を回転しないように押さえることができ、受け金具１４が室内側に引っ張られることに対する強度を向上させることができる。
【００４２】
規制部２３ｅは、召合わせ框２３の長手方向に沿って形成されている。召合わせ框２３の上下端部には、内周壁２３ｂに対して上框２０と下框２１の各端面が当接され連結される。このとき、上框２０と下框２１の端部室内側面は召合わせ框２３の室内側壁２３ａに、上框２０と下框２１の端面は召合わせ框２３の内周壁２３ｂに当接し、さらに上框２０と下框２１の端部室外側面は召合わせ框２３の規制部２３ｅに当接する。すなわち、規制部２３ｅは上框２０と下框２１の端部室外側面に当接してこれらの回転を抑える回転防止リブとしても機能する。このように、回転防止リブと受け金具１４の規制部２３ｅとを兼用することで、部品の形状を複雑化することなく受け金具１４の浮き上がり防止をなすことができる。
【００４３】
また、規制部２３ｅとして別の形態を採ることもできる。図７には、別の形態の規制部２３ｅを備えた召合わせ框２３の断面図を示している。図７では、規制部２３ｅが断面略Ｌ字状をなしており、受け金具１４を構成する固定面部１５ｂの内周側面端部を覆うように当接している。このように規制部２３ｅを、固定面部１５ｂの内周側面を覆うように形成してもよい。
【００４４】
受け金具１４の形状も、別の形態とすることができる。図８には、別の形態の受け金具１４を備えた召合わせ框２３の断面図を示している。図８の受け金具１４は、延出面部１５ａが召合わせ框２３の室内側壁２３ａに当接すると共に、室内側からビス１７によって固定されていて、図３に示した受け金具１４のような召合わせ框２３の内周壁２３ｂに当接固定される固定面部は有していない。すなわち、延出面部１５ａが召合わせ框２３に対する固定部となっている。この場合にあっても、受け金具１４の延出面部１５ａには、召合わせ框２３の係合部２３ｄに外周側から隣接する当接部１５ｄと、第２係合部２３ｄに外周側から隣接する第２当接部１５ｆとを有し、受け金具１４が框体４の面内方向において受ける力に対して移動を規制することができる。
【００４５】
以上、本発明の実施形態について説明したが、本発明の適用は本実施形態には限られず、その技術的思想の範囲内において様々に適用されうるものである。本実施形態では、召合わせ框２３に係合部２３ｃと第２係合部２３ｄの両方を設けているが、いずれか一方であってもよい。また、本実施形態では、召合わせ框２３の係合部２３ｃ及び第２係合部２３ｄが、いずれも突起状に形成され、受け金具１４の当接部１５ｄ及び第２当接部１５ｆがそれぞれ係合部２３ｃおよび第２係合部２３ｄに当接するように構成されているが、係合部２３ｃ及び第２係合部２３ｄを溝状に形成し、溝の内壁面に当接部１５ｄや第２当接部１５ｆを当接させるように構成してもよい。
【符号の説明】
【００４６】
１    枠体
２    内障子
３    外障子
４    框体
５    パネル体
１０    上枠
１１    下枠
１２    縦枠
１３    クレセント
１４    受け金具
１５    基部材
１５ａ  延出面部
１５ｂ  固定面部
１５ｃ  突出片
１５ｄ  当接部
１５ｅ  第２突出片
１５ｆ  第２当接部
１６    先端部材
１６ａ  係止部
１６ｂ  樹脂被覆部
２０    上框
２１    下框
２２    枠側縦框
２３    召合わせ框
２３ａ  室内側壁
２３ｂ  内周壁
２３ｃ  係合部
２３ｄ  第２係合部
２３ｅ  規制部
２４    戸車
【図１】
2014074292.tif 000003
【図２】
2014074292.tif 000004
【図３】
2014074292.tif 000005
【図４】
2014074292.tif 000006
【図５】
2014074292.tif 000007
【図６】
2014074292.tif 000008
【図７】
2014074292.tif 000009
【図８】
2014074292.tif 000010